(57)【特許請求の範囲】
【請求項１】
液体、特に血液を少量、閉じられた容器から取り出し、滴下装置によって液滴（１）として載せガラス上に付与し、次いでこの液滴を塗抹するための方法であって、前記滴下装置が、連続した長手方向通路（９）を備えた滴下針（８）を有しており、この滴下針（８）の一方の端部を閉鎖部材に貫通させて容器内に押し込んで、容器からの液滴を、前記長手方向通路と滴下針（８）の他方の端部とを介して載せガラス上に到達させる方法のものにおいて、
塗抹手段（１０）と一体に形成されている滴下装置（３）を使用し、液滴を載せガラス上で滴下装置によって塗抹し、分配することを特徴とする、液体を取り出し、塗抹するための方法。
【請求項２】
液体、特に血液を少量、閉じられた容器から取り出し、滴下装置によって液滴（１）として載せガラス（２）上に付与し、次いでこの液滴を塗抹するための装置であって、前記滴下装置が、連続した長手方向通路（９）を備えた滴下針（８）を有しており、この滴下針（８）の一方の端部が閉鎖部材を貫通して容器内に押し込まれており、容器からの液滴が、前記長手方向通路と滴下針（８）の他方の端部とを介して載せガラス上に到達する形式のものにおいて、
滴下装置（３）が、載せガラス上の液滴を塗抹し分配するための塗抹手段（１０）と一体に形成されていることを特徴とする、液体を取り出し、塗抹するための装置。
【発明の詳細な説明】
【０００１】
【発明の属する技術分野】
本発明は、液体、特に血液を少量、閉じられた容器から取り出し、滴下装置によって液滴として載せガラス上に付与し、次いでこの液滴を塗抹するための方法及び装置であって、連続した長手方向通路を備えた滴下針の後端部を閉鎖部材を貫通させて容器内に押し込んで、容器からの液滴を、滴下針の長手方向通路を介して載せガラス上に到達させる形式のものに関する。
【０００２】
【従来の技術】
血液、又は別の血清試料、若しくは液体試料、例えば髄液、胸膜穿刺液等を検査するために、これらの試料の滴はプレート状の載せガラスに塗布されて、その後、塗抹装置を、載せガラスの長手方向で均一に引き伸ばすことにより、分配若しくは塗抹されて、次いで顕微鏡で観察される。
【０００３】
米国特許第３３６６２７８号明細書、及び同第５１６３５８３号明細書、及び同第５２８６４５３号明細書によれば、検査しようとする液体を閉鎖した容器、特に縦長の管から取り出す技術が公知である。このために、管の開放された端部を閉鎖する弾性的な栓若しくは薄膜を、滴下装置の、連続した長手方向通路を備えた針が突き刺し、これによって針は容器内側に進入する。これにより、滴下針の長手方向通路を介して、容器内側と周囲とが接続されて、液滴が取り出され、載せガラス上に付与され得る。
【０００４】
塗布された敵状の液体を均一に塗抹若しくは分配することは、第２の載せガラスによって得られる。即ち、例えばドイツ連邦共和国実用新案登録第９２１４２２２７．３号明細書から公知のような、場合によっては特別に研磨された塗抹縁部を備えた、ガラス製若しくはプラスチック製の塗抹装置によって得られる。
【０００５】
滴下装置と塗抹装置とを必ず使用しなければならないので、使用後に、相応に常に複数の部分を別個に処理しなければならない。何故ならば、血清検査又は血液検査の際に、これらの部分が、感染性の恐れのある試料と接触することにより汚染されるということは避けられないからである。従ってこれらの部分は特殊な廃棄物に属し、その処理は非常に面倒であり、コストがかかる。
【０００６】
【発明が解決しようとする課題】
そこで本発明の課題は、液滴の塗抹を簡単に行うことができ、処理すべき特殊な廃棄物を最小限に削減できるような方法及び、この方法を実施するための装置を提供することである。
【０００７】
【課題を解決するための手段】
この課題を解決した本発明の方法の手段によれば、液体を載せガラス上で滴下装置によって塗抹し、分配するようにした。
【０００８】
【発明の効果】
滴下装置自体を塗抹手段として使用することにより、場合によっては伝染性の液体試料と接触し消費される装置を唯１つの部分に限定でき、これにより処理すべき廃棄物量は、第２の載せガラス若しくは別個の塗抹手段を不要にできるので、著しく削減できる。
【０００９】
又、上記課題を解決した本発明の装置の手段によれば、滴下装置が塗抹手段と一体に形成されているようにした。滴下装置にはこの目的で、例えば、容器と離反する前方の端部に、半径方向に突出する塗抹付加部若しくは塗抹ウエブが設けられていてよい。この塗抹付加部若しくは塗抹ウエブは、液滴を載せガラスに分配するために必要な塗抹縁部を備えている。液滴を分配するために、所望に応じて、又は実際の場合に好都合に処理できるように、塗抹前に滴下装置を容器（以下、試験管とする）から取り出すか、又は、滴下装置を試験管に被せ嵌めたままにしておくことが同様に可能である。
【００１０】
【発明の実施の形態】
以下に図面につき本発明の実施の形態を詳しく説明する。
【００１１】
図１に示されているように、液滴１をプレート状の載せガラス２（図２も参照）に塗布するために、滴下装置３が、液体、特に血液を収容する閉じられた試験管５の、スクリューキャップ４によって閉鎖された端部に被せ嵌められる。閉鎖キャップ４は試験管５を延長する、円筒形の付加部６を有していて、この付加部６は、試験管５の内側を閉鎖する弾性的な閉鎖栓７（メンブレン若しくは薄膜）を収容している。
【００１２】
滴下装置３を、試験管５にねじ込まれたキャップ４の、円筒形の付加部６に被せ嵌める際に、閉鎖栓７が、連続して延びる長手方向通路９を備えた滴下針８によって貫通されて、これにより滴下針８の先の尖った後端部が、試験管５の内側若しくはこの試験管５に結合された付加部６の内側に進入する。即ち、閉鎖栓７若しくは薄膜の弾性的な材料が、滴下針８の回りに、この滴下針８をシールするように位置する。従って試験管５の内側と周囲との間で流体接続が得られ、滴下針８の長手方向通路９を通って液滴１が載せガラス２に達する（図１参照）。
【００１３】
滴下装置３には塗抹手段１０が一体に設けられている。この塗抹手段１０は、図示の実施例では、滴下装置３の、スクリューキャップ４のドーム形部分若しくは付加部６から離れた方の端部に、半径方向に突出する滴下装置３をその長手方向軸線に対して横方向で両側で越える塗抹ウエブが設けられた形として形成されている。場合によっては、一体性は、塗抹手段１０をこの塗抹手段１０が滴下装置３の製造時に同時に、この滴下装置に設けられない場合には、滴下装置３に係止することによっても得られる。塗抹手段１０は液滴１を載せガラス２上に正確に分配するための塗抹縁部１１を備えている。従って、滴下装置３は、液滴１を取り出して、載せガラス２上に載せる作用の他に、さらに塗抹する作用も行う。
【００１４】
液滴１を塗抹するためには、滴下装置３が例えば図２で示されたような位置を占めて、この位置で滴下装置３が矢印方向１２で載せガラス２に対してほぼ平行に動かされる。これにより、液体は有利には、引き伸ばし運動中に、塗抹縁部１１の寸法に相応する幅に、載せガラス２の長さにわたって分配される。これは、図２で示されたように、滴下装置３の外壁を把持して、滴下装置３から試験管５を取り外す場合にも、又は、滴下装置３に試験管５が被せ嵌められている場合にも行なうことができる。これは二重矢印１３によって示されている。図示の実施例では、滴下装置３と試験管５との間で、有利には、堅固で安定した形状接続的な結合が行われる。何故ならば、付加部６に被せ嵌められた滴下装置３が付加部６によってガイドされるからである。このことは液滴１の塗抹にとっても有利である。選択的に、滴下装置３を試験管５の壁で直接的にガイドすることも、又は試験管５のキャップ（スクリューキャップでなくてよい）で間接的にガイドすることもできる。この場合、薄膜若しくは閉鎖栓７は、試験管若しくはキャップに組み込まれた１つの構成部分である。
【００１５】
いずれにしても本発明によれば、一部の装置部分だけ、即ち、塗抹装置１０と一体に形成された滴下装置３だけが、液滴１と常に接触する。従って、一部の器具部分、若しくは装置部分だけを処理すればよい。即ち、塗抹装置としても使用される滴下装置３だけが特殊廃棄物となる、ということを意味している。
【図面の簡単な説明】
【図１】液滴を試験管から取り出して、載せガラスに載せるための装置を概略的に示した部分縦断面図である。
【図２】載せがラス上に載せた液滴を表面で塗抹し分配するための位置にある、図１の装置を概略的に示した図である。
【符号の説明】
１  液滴、  ２  載せガラス、  ３  滴下装置、  ４  スクリューキャップ、５  試験管、  ６  付加部、  ７  閉鎖栓、  ８  滴下針、  ９  長手方向通路、  １０  塗抹手段、  １１  塗抹縁部、  １２  矢印方向、  １３  二重矢印
【図１】
0003737847.tif 000002
【図２】
0003737847.tif 000003